(57)【要約】  ＷＰＡＮなどの無線通信ネットワークにおいて通信リソースを動的に割り当てる技術が開示される。例えば、無線通信装置は、リソース割当てを取得する。このリソース割当ては、無線通信媒体内のタイムスロット（ＴＤＭＡタイムスロットなど）を含む。装置は、データを送信することを意図するタイムスロットの第１部分を決定する。また、無線通信装置は、タイムスロットの第１部分の後に出現するタイムスロットの第２部分を放棄する。この放棄に基づき、中央コントローラ装置は、タイムスロットの第２部分を再割り当てする。
2013515433.tif 000002
【特許請求の範囲】
【請求項１】
無線通信媒体内のタイムスロットを有するリソース割当てを無線通信装置について取得するステップと、
前記無線通信装置がデータを送信する前記タイムスロットの第１部分を決定するステップと、
前記タイムスロットの第１部分の後に発生する前記タイムスロットの第２部分を放棄するステップと、
を有する方法。
【請求項２】
前記タイムスロットの第１部分を決定するステップは、前記無線通信装置により格納される利用可能な送信データ量を決定することを含む、請求項１記載の方法。
【請求項３】
前記タイムスロットの残りを放棄するステップは、通知メッセージをリモート装置に送信することを含み、
前記通知メッセージは、前記タイムスロットの第１部分に先行する請求項１記載の方法。
【請求項４】
前記通知メッセージは、前記タイムスロットの第１部分に対応する期間を含む、請求項３記載の方法。
【請求項５】
前記リソース割当てを取得するステップは、
リモート装置にリクエストを送信するステップと、
前記リモート装置からビーコン送信を受信するステップと、
を含む、請求項１記載の方法。
【請求項６】
前記タイムスロットは、ＴＤＭＡ（Ｔｉｍｅ  Ｄｉｖｉｓｉｏｎ  Ｍｕｌｔｉｐｌｅ  Ａｃｃｅｓｓ）フレーム内にある、請求項１記載の方法。
【請求項７】
無線通信媒体内のタイムスロットを有するリソース割当てをリモート装置に付与するステップと、
前記リモート装置から、前記タイムスロット内の第１部分を示す通知を受信するステップと、
前記第１部分の後に出現する前記タイムスロットの第２部分を再割り当てするステップと、
を有する方法。
【請求項８】
前記タイムスロットの第２部分を再割り当てするステップは、前記タイムスロットの第２部分をさらなるリモート装置に割り当てることを含む、請求項７記載の方法。
【請求項９】
前記タイムスロットの第２部分は、ポーリングプロトコルに従って前記さらなるリモート装置に割り当てられる、請求項８記載の方法。
【請求項１０】
前記タイムスロットの第２部分を再割り当てするステップは、中央コントローラ装置によって前記第２部分を保持することを含む、請求項７記載の方法。
【請求項１１】
前記リモート装置から前記リソース割当てに対するリクエストを受信するステップをさらに有する、請求項７記載の方法。
【請求項１２】
前記タイムスロットは、ＴＤＭＡ（Ｔｉｍｅ  Ｄｉｖｉｓｉｏｎ  Ｍｕｌｔｉｐｌｅ  Ａｃｃｅｓｓ）フレーム内にある、請求項７記載の方法。
【請求項１３】
リモート装置と無線信号をやりとりする送受信モジュールと、
前記送受信モジュールによる送信用の利用可能なデータを格納する送信バッファと、
前記利用可能なデータを送信するため割り当てられたタイムスロットの第１部分を決定し、前記タイムスロットの第１部分の後に出現する前記タイムスロットの第２部分を放棄する制御モジュールと、
を有する装置。
【請求項１４】
前記制御モジュールは、
前記割り当てられたタイムスロットに対するリクエストを生成し、
リモート中央コントローラ装置により発信された前記割り当てられたタイムスロットの割当てを受信する、請求項１３記載の装置。
【請求項１５】
前記割り当てられたタイムスロットは、ＴＤＭＡ（Ｔｉｍｅ  Ｄｉｖｉｓｉｏｎ  Ｍｕｌｔｉｐｌｅ  Ａｃｃｅｓｓ）フレーム内にある、請求項１３記載の装置。
【請求項１６】
指向性ビームフォーミングを提供する１以上のアンテナをさらに有する、請求項１３記載の装置。
【請求項１７】
前記無線信号は、ミリ波信号である、請求項１３記載の装置。
【請求項１８】
前記利用可能なデータは、可変ビットレート（ＶＢＲ）アプリケーションに関連する、請求項１３記載の装置。
【請求項１９】
マシーンにより実行されると、
無線通信媒体内のタイムスロットを有するリソース割当てを無線通信装置について取得するステップと、
前記無線通信装置がデータを送信する前記タイムスロットの第１部分を決定するステップと、
前記タイムスロットの第１部分の後に発生する前記タイムスロットの第２部分を放棄するステップと、
を前記マシーンに実行させる命令を格納するマシーンアクセス可能な媒体を有する物。
【請求項２０】
前記タイムスロットは、ＴＤＭＡ（Ｔｉｍｅ  Ｄｉｖｉｓｉｏｎ  Ｍｕｌｔｉｐｌｅ  Ａｃｃｅｓｓ）フレーム内にある、請求項１９記載の物。
【発明の詳細な説明】
【背景技術】
【０００１】
無線通信機能が、ラップトップコンピュータ、携帯装置（ＰＤＡ（Ｐｅｒｓｏｎａｌ  Ｄｉｇｉｔａｌ  Ａｓｓｉｓｔａｎｔ））及び携帯電話を含む携帯装置に一体化されることが増えている。このような機能の一体化は、任意の場所と時間での情報リソースへの接続をユーザに提供できる。
【０００２】
多くの通信システムは、利用可能なネットワーク帯域幅を関する中央コントローラ装置を有する。例えば、ＷＰＡＮ（Ｗｉｒｅｌｅｓｓ  Ｐｅｒｓｏｎａｌ  Ａｒｅａ  Ｎｅｔｗｏｒｋ）は、複数の無線通信装置（ＤＥＶ）にリソースを割り当てるピコネットコントローラ装置（ＰＮＣ）を有する。このようなＷＰＡＮは、各種周波数において動作可能である。例えば、Ｗｉｒｅｌｅｓｓ  Ｇｉｇａｂｉｔ  Ａｌｌｉａｎｃｅ（ＷｉＧｉｇ）などの組織は、各装置が６０ギガヘルツ（ＧＨｚ）の周波数範囲においてミリ波信号をやりとりするＷＰＡＮの開発を推進している。このような信号は、極めて高いレートによりデータを伝送する。従って、これらのネットワークは、高品位テレビ（ＨＤＴＶ）などのハイデータレート（ＨＤＲ）アプリケーションをサポートする。
【０００３】
ＴＤＭＡ（Ｔｉｍｅ  Ｄｉｖｉｓｉｏｎ  Ｍｕｌｔｉｐｌｅ  Ａｃｃｅｓｓ）は、共有されている媒体ネットワークのためのリソース割当て技術である。ＴＤＭＡは、複数の装置が時間期間（スーパーフレームなど）を複数のタイムスロットに分割することによって周波数チャネルを共有することを可能にする。例えば、複数の装置には、データを送信するための対応する（重複しない）タイムスロットが割り当てられる。この結果、複数の装置は、互いに衝突（干渉）しない送信を送信する。
【０００４】
装置は、時間可変的なリソース要求を有する可能性がある。例えば、あるアプリケーション（圧縮されたビデオ、電話など）は、可変的なビットレート（ＶＢＲ）を有するトラフィックを生成する。従来のリソース割当て技術は、装置の最大リソース要求が常に充足されうるように、装置にリソースを割り当てる。残念ながら、このアプローチは浪費的なものである。これは、時間の大部分において、装置の可変的なリソース要求はそれに割り当てられた量を下回るためである。
【図面の簡単な説明】
【０００５】
図面において、同様の参照番号は、一般に同一の、機能的に類似した及び／又は構成的に同様の要素を示す。要素が最初に現れた図面は、参照番号の最左桁により示される。本発明は、以下の添付した図面を参照して説明される。
【図１】図１は、一例となる動作環境の図である。
【図２】図２は、一例となる時間割当ての図である。
【図３】図３は、早期の通知による動的スロット割当て技術を示す図である。
【図４】図４Ａ〜４Ｄは、複数の装置の間のインタラクションを示す図である。
【図４Ｅ】図４Ｅは、複数の装置の間のインタラクションを示す図である。
【図５】図５は、ロジックフロー図である。
【図６】図６は、一例となる実現形態の図である。
【発明を実施するための形態】
【０００６】
各実施例は、無線ネットワークにおける動的リソース割当てのための技術を提供する。例えば、無線通信装置は、リソース割当てを取得する。このリソース割当ては、無線通信媒体内のタイムスロット（ＴＤＭＡタイムスロットなど）を含む。装置は、データを送信することを意図するタイムスロットの第１部分を決定する。また、無線通信装置は、タイムスロットの第１部分の後に現れるタイムスロットの第２部分を放棄する。この放棄に基づき、中央コントローラ装置は、タイムスロットの第２部分を再割り当てする。
【０００７】
本明細書における“一実施例”又は“実施例”という表現は、当該実施例に関して説明される特定の特徴、構成又は特性が少なくとも１つの実施例に含まれることを意味する。従って、本明細書の各所における“一実施例では”又は“実施例では”という表現の出現は、すべてが必ずしも同一の実施例を参照しているとは限らない。さらに、特定の特徴、構成又は特性は、１以上の実施例において何れか適切な方法により組み合わされてもよい。
【０００８】
図１は、ここに開示される技術が利用可能な一例となる動作環境１００の図である。図１に示されるように、当該環境は、中央コントローラ装置１０２と複数の装置（ＤＥＶ）１０４ａ〜ｂとを含む。これらの要素は、ハードウェア及び／又はソフトウェアの何れかの組み合わせによりそれぞれ実現されてもよい。
【０００９】
中央コントローラ装置１０２は、ＤＥＶ１０４ａ〜ｂにモバイル通信機能を提供する。例えば、中央コントローラ装置１０２は、ＤＥＶ１０２ａ〜ｂが互いに通信可能なハブとして動作してもよい。また、中央コントローラ装置１０２は、ＤＥＶ１０２ａ〜ｂにパケットネットワーク（インターネットなど）へのアクセスを提供する。従って、図１は、このようなパケットネットワーク１１０に接続される中央コントローラ装置１０２を示す。
【００１０】
さらに、中央コントローラ装置１０２は、無線通信リソース（１以上の周波数チャネル又は帯域など）へのアクセスを制御する。例えば、中央コントローラ装置１０２は、ＴＤＭＡ割当て方式に従ってタイムスロットの割当てを制御する。これは、中央コントローラ装置１０２がＤＥＶ１０４ａ〜ｂからリソースリクエストを受信し、ＴＤＭＡフレームフォーマット内の対応するタイムスロットを付与することに関する。
【００１１】
ＤＥＶ１０４ａ〜ｂはそれぞれ、各種タイプの装置として実現されてもよい。一例となる装置は、携帯電話、スマートフォン、無線ＰＤＡ、モバイルインターネット装置（ＭＩＤ）、ノートブックコンピュータ、ネットブック、ネットトップなどを含む。各実施例は、これらの具体例に限定されない。
【００１２】
ＤＥＶ１０４ａ〜ｂ（中央コントローラ装置１０２と共に）は、互いに無線通信する。このような通信は、直接的なリンクを介し又は中央コントローラ装置１０２を介するものであってもよい。従って、図１の装置は、中央コントローラ装置１０２がＰＮＣとして動作するＷＰＡＮを形成する。このような通信は、各種周波数範囲の無線信号のやりとりを伴う。例えば、実施例では、これらの信号は、６０ＧＨｚ周波数範囲のミリ波信号である。
【００１３】
各装置１０４ａ〜ｂは、中央コントローラ装置１０２に関連付けされる。さらに、装置１０４ａ〜ｂと中央コントローラ装置１０２とはそれぞれ、指向性アンテナ（ビームフォーミングなど）機能を有してもよい。従って、図１の装置は、指向性信号送受信を互いに利用するようトレーニングされてもよい。
【００１４】
より高い周波数（６０ＧＨｚなど）が使用されるとき、より大きな信号伝搬損失が発生する。従って、このような指向性アンテナ機能は、これらの損失を効果的に処理し、極めて高いデータレート（毎秒１ギガビットより高いレートなど）によるデータの送信のための実質的な無線通信範囲を達成する。従って、各実施例は、未圧縮ＨＤＴＶ（他のアプリケーションと共に）などの高データレートアプリケーションに対応するデータを交換する。
【００１５】
実施例では、図１の装置による送信はそれぞれ、スーパーフレームと呼ばれる繰り返しのパターンに基づく。図２は、一例となるスーパーフレームを示す図である。特に、図２は、連続するスーパーフレーム２０２ｎと２０２ｎ＋１とを含むフレームフォーマットを示す。
【００１６】
このスーパーフレームフォーマットは、各自の送信対象を送信するためのタイムスロットを装置に割り当てるＴＤＭＡリソース割当て方式に従って無線送信を提供する。これらのタイムスロットは、個別の装置のリクエストに応答して割り当てられてもよい。例えば、図２は、時間割当てリクエスト２０４がスーパーフレーム２０２ｎにより送信されることを示す。このリクエストは、装置から中央コントローラ装置に送信される。例えば、図１に関して、リクエスト２０４は、ＤＥＶ１０４ａ又はＤＥＶ１０４ｂから中央コントローラ装置１０２に送信されてもよい。
【００１７】
当該リクエストを受信すると、中央コントローラ装置は、要求元の装置に対応するタイムスロットを割り当てる。特に、図２は、スーパーフレーム２０２ｎ＋１における割り当てられたタイムスロット２０６を示す。このタイムスロット中、要求元の装置はそれの送信対象を送信してもよい。実施例では、この割当ては中央コントローラ装置により送信されるビーコンに示されてもよい。しかしながら、各実施例は他の指示技術を利用してもよい。
【００１８】
ＴＤＭＡの問題点は、それがタイムスロットの割当てにおいて低速であることである。より詳細には、割当てを要求した（又は既存の割当てを変更する）装置は、ほぼ１スーパーフレームを待機する必要がある。例えば、図２は、リクエスト２０６と対応する割当て２０８との間の遅延２０８が発生することを示す。従って、ＴＤＭＡ割当ては非効率的なものとなりうる。
【００１９】
従来のＴＤＭＡはコンスタントビットレート（ＣＢＲ）データ伝送を要求する装置にとって満足なものであるが、可変的ビットレート（ＶＢＲ）アプリケーションにとってはしばしば不適切である。例えば、圧縮されたビットストリームを利用するものなどのＶＢＲアプリケーションは、割り当てられたタイムスロットのそれぞれについてどの程度のデータが利用可能であるかに関する事前の知識を送信装置に提供しない。
【００２０】
上述されたように、装置に十分な送信キャパシティを保証するアプローチは、中央コントローラ装置（ＰＮＣなど）が最大割当てを提供することに関する。特に、この最大割当ては、装置が可能な最大数のビットを送信するのに十分なタイムスロットを装置に提供する。残念なことに、装置は、典型的には、このような最大割り当てされたスロットの一部しか（１／２又は１／１０など）利用しない。このため、当該アプローチは、他の装置により利用可能な帯域幅を浪費する。このような他の装置は、タイムスロットを予め割り当てず、経時的にデータを伝送するのに必要な装置を含むものであってもよい。
【００２１】
装置に十分な送信キャパシティを保証する他のアプローチは、最大割り当てされたスロットを複数のより小さなミニスロットに分割することに関する。このアプローチでは、ＶＢＲ装置は、各ミニスロットのエンドにおいてストップし、中央コントローラ装置に次のミニスロットを使用し続けるよう求める。この処理は、装置の利用可能なデータのすべて（例えば、それにバッファされているデータのすべて）が送信されるまで実行されてもよい。しかしながら、このアプローチによると、関係する装置（ＰＮＣ、ＶＢＲ装置、他の何れかの割当てを要求する装置など）は、残念なことにかなりのハンドシェイクを伴う。さらに、このようなハンドシェイクは、相対的に短い時間で決定される必要がある。このため、当該アプローチは、携帯装置にとっては複雑で、電力を消費し、高額なものとなる。
【００２２】
各実施例は、早期の通知による動的な割当てを伴うアプローチを介し十分な送信キャパシティを提供する。図３は、当該アプローチの一例を示す図である。特に、この図は、第１無線通信装置（ＤＥＶ１）に割り当てられるタイムスロット３０２を示す。このタイムスロットは、中央コントローラ装置（ＰＮＣなど）により割り当てられたものである。
【００２３】
タイムスロット３０２内には各種インターバル（又は部分）が存在する。例えば、図３は、ＤＥＶ１により送信される通知３０４を示す。通知３０４は、ＤＥＶ１が送信することを意図するタイムスロット３０２の部分と共に、ＤＥＶ１が放棄したタイムスロット３０２の部分とを示す。
【００２４】
実施例では、通知３０４は各種情報を有してもよい。例えば、通知３０４は、ＤＥＶ１がデータを送信することを意図する時間インターバルの期間（通知３０４のエンドからスタートする）を含むものであってもよい。図３において、ブロック３０５は、中央コントローラ装置による通知部分３０４の受信を示す。
【００２５】
ここに開示されるように、無線通信装置は、それの利用可能なデータを送信するためのタイムスロットの一部を保持する。例えば、図３は、ＤＥＶ１がデータを送信するのに利用する第１送信部分３０６を示す。
【００２６】
図３は、グラント３０８が第１送信部分３０６に続くことを示す。グラント３０８（中央コントローラ装置により送信される）は、タイムスロット３０２の残りがどのように割り当てられるべきかを示す。例えば、図３では、グラント３０８は、第２無線通信装置（ＤＥＶ２）にタイムスロット３０２の残りが割り当てられたことを示す。従って、図３は、ＤＥＶ２がデータを送信するのに利用する第２送信部分３１０（タイムスロット３０２の残りなど）を示す。
【００２７】
あるいは、グラント３０８は、より早期に送信されてもよい。例えば、指向性アンテナパターン（ビームフォーミングパターンなど）が利用されるとき、中央コントローラ装置は、ＤＥＶ１が第１送信部分３０６を送信している間に、グラント３０８をＤＥＶ２に送信してもよい。これは、このようなビームフォーミングパターンはグラント３０８が第１送信部分３０６と干渉しないことを可能にするためである。これは、効果的に中央コントローラ装置による電力セービングを可能にする。
【００２８】
図４Ａ〜４Ｅは、複数の装置の間の一例となるインタラクションシーケンスを示す図である。これらの装置は、ＰＮＣと４つの他の無線通信装置（ＤＥＶ１〜ＤＥＶ４など）とを含む。また、これらの図は、一例となる指向性アンテナパターンを示す。
【００２９】
図４Ａは、関係しない装置ＤＥＶ１，ＤＥＶ２がＰＮＣを聴取している安定状態を示す。また、図４Ａは、これらの装置により使用される指向性アンテナパターンを示す。例えば、ＤＥＶ１，ＤＥＶ２はそれぞれ、受信アンテナパターン４０２，４０４を有する。これらのパターンは、ＰＮＣに対して指向される。また、ＰＮＣは、ＤＥＶ１，ＤＥＶ２から他の装置（図示せず）に向けられた受信アンテナパターン４０６を有する。
【００３０】
図４Ｂ〜４Ｅは、ＤＥＶ１に割り当てられたタイムスロット中の異なるインタラクションを示す。例えば、図４Ｂは、ＰＮＶに指向された送受信アンテナパターン４０８を有するＤＥＶ１を示す。同様に、ＰＮＣは、ＤＥＶ１に指向された送受信アンテナパターン４１０を有する。これらのパターンを介し、ＤＥＶ１は通知４５０をＰＮＣに送信する。ここに開示されるように、当該通知は、ＤＥＶ１がデータ送信に利用することを意図する割り当てられたタイムスロットの部分を示す。また、図４Ｂは、ＰＮＣに指向された受信アンテナパターン４１２を有するＤＥＶ２を示す。
【００３１】
図４Ｃにおいて、ＤＥＶ２にデータ送信対象４５２を送信するＤＥＶ１が示される。図４Ｃは、ＤＥＶ２に指向された送受信アンテナパターン４１４を有するＤＥＶ１を示す。同様に、図４Ｃは、ＤＥＶ１に指向された受信アンテナパターン４１６を有するＤＥＶ２を示す。
【００３２】
このデータ送信の後、図４Ｄは、グラントメッセージ４５４をＤＥＶ３に送信するＰＮＣを示す。このグラントメッセージは、ＤＥＶ１のタイムスロットの残りをＤＥＶ３に割り当てる。従って、図４Ｄはまた、ＤＥＶ３に指向される送信アンテナパターン４１８を有するＰＮＣと、ＰＮＣに指向される受信アンテナパターン４２０を有するＤＥＶ３とを示す。
【００３３】
グラントメッセージ４５４に基づき、図４Ｅは、データ送信対象４５６をＤＥＶ４に送信するＤＥＶ３を示す。さらに、図４Ｅは、ＤＥＶ４に指向される送信アンテナパターン４２２を有するＤＥＶ３と、ＤＥＶ３に指向される受信アンテナパターン４２４を有するＤＥＶ４とを示す。
【００３４】
これらの実施例の処理がさらに、以下の図面と付随する具体例とを参照して説明される。図面の一部はロジックフローを含む。ここに提供される図面は特定のロジックフローを含むが、当該ロジックフローはここに開示される一般的な機能がどのように実現可能であるかの具体例を提供するにすぎないことが理解できる。さらに、与えられたロジックフローは、特段の指摘がない場合、提供された順序により必ずしも実行される必要はない。さらに、所与のロジックフローは、ハードウェア要素、プロセッサにより実行されるソフトウェア要素、又はこれらの何れかの組み合わせにより実現されてもよい。これらの実施例はこれに限定されるものでない。
【００３５】
図５は、ここに開示される１以上の実施例により実行される処理を表す一例となるロジックフロー５００を示す。図５のロジックフローは、無線通信装置（ＤＥＶなど）と中央コントローラ装置（ＰＮＣなど）とに関して説明される。このため、このフローは、図１〜４Ｅに関して利用されてもよい。しかしながら、各実施例はこれに限定されるものでない。また、図５は特定のシーケンスを示すが、他のシーケンスが利用されてもよい。さらに、図示された処理は、各種パラレル及び／又はシーケンシャルな組み合わせにより実行されてもよい。
【００３６】
ブロック５０２において、無線通信装置は、中央コントローラ装置からリソース割当てを取得する。このリソース割当ては、無線通信媒体内のタイムスロット（ＴＤＭＡスロットなど）を含むものであってもよい。実施例では、ブロック５０２は、リクエストメッセージを中央コントローラ装置（ＰＮＣ）に送信することによって、無線通信装置がリソース割当てを取得する（ＤＥＶ１など）ことを有してもよい。これに応答して、中央コントローラ装置は、ＶＢＲトラフィックにより利用可能なすべての装置（ＤＥＶ１＆ＤＥＶ２など）のリソース割当てスロットと、他の装置（ＤＥＶ３＆ＤＥＶ４など）が残りの未使用部分を利用する候補とを含むブロードキャスト送信対象を送信する。この送信対象は、ビーコンであってもよい。しかしながら、各実施例は、他の形態のブロードキャスト及び／又はポイント・ツー・ポイント送信を利用してもよい。
【００３７】
このような候補となる割当てられるタイムスロット（３０２）が到来すると、各装置（ＤＥＶ３＆ＤＥＶ４など）の指向性アンテナは、スロットの残り時間の利用又はスロットの何れかの部分の再利用を可能にするグラントを取得する準備ができるように、ＰＮＣに指向される。
【００３８】
ブロック５０４において、スロットのスタートにおいて、ＰＮＣの指向性アンテナが、スロットのオーナーである装置（ＤＥＶ１）に指向される（図４Ｂ）。その後、装置（ＤＥＶ１）は、それのアンテナをＰＮＣに指向し、当該装置が現在のスロットにおいて利用する期間を含む通知をＰＮＣに送信する。これは、例えば、無線通信装置が送信バッファ（エンコーダ出力バッファなど）において有するデータ量を決定することに関する。
【００３９】
ブロック５０８において、無線通信装置は、それのリソース割当ての第２部分（残り部分）を放棄する。タイムスロットの第２部分は、タイムスロットの第１部分の後に出現する。
【００４０】
放棄（通知メッセージなど）を受信すると、中央コントローラ装置は、ブロック５１０において、リソース割当ての第２部分を再割り当てする。これは、１以上の他の無線通信装置（他のＤＥＶなど）に第２部分を付与することに関する。あるいは、これは、中央コントローラ装置が自らの利用のため（自らのデータ送信のためなど）にリソース割当ての第２部分を保持することに関する。
【００４１】
中央コントローラ装置は、第２部分を再割り当てするための各種技術を利用してもよい。例えば、実施例では、中央コントローラ装置は、他の無線通信装置が送信すべきデータを有しているかリクエストするポーリング機構を利用する。そうである場合、中央コントローラ装置は、当該装置にグラントを送信する。このグラントを受信すると、無線通信装置は、タイムスロットの第２部分内でそれのデータを送信してもよい。
【００４２】
図６は、ＤＥＶ（ＤＥＶ１０４ａ，１０４ｂなど）及び／又は中央コントローラ装置（中央コントローラ装置１０２など）などの無線通信装置に含まれうる実現形態６００の図である。実現形態６００は、各種要素を含む。例えば、図６は、複数のアンテナ６０２ａ〜ｃ、送受信モジュール６０４、ホストモジュール６０６、制御モジュール６０８及び送信バッファ６１１を含む実現形態６００を示す。これらの要素は、ハードウェア、ソフトウェア又はこれらの何れかの組み合わせにより実現されてもよい。
【００４３】
アンテナ６０２ａ〜ｃは、リモート装置と無線信号をやりとりする。３つのアンテナが示されているが、何れかの個数のアンテナが利用されてもよい。また、各実施例は、１以上の送信アンテナと１以上の受信アンテナとを利用してもよい。このような複数アンテナの構成は、リモート装置による複数の空間ストリームのビームフォーミング及び／又は展開のために利用されてもよい。
【００４４】
送受信モジュール６０４は、他の装置と情報をやりとりする。図６に示されるように、送受信モジュール６０４は、送信部６１０と受信部６１２とを有する。動作中、送受信モジュール６０４は、ホストモジュール６０６、制御モジュール６０８、送信バッファ６１１などの他の要素とアンテナ６０２ａ〜ｃとの間のインタフェースを提供する。例えば、送信部６１０は、このような要素からシンボルを受信し、１以上のアンテナ６０２ａ〜ｃによる無線送信のため対応する信号を生成する。これは、変調、増幅及び／又はフィルタリングなどの処理を伴うものであってもよい。しかしながら、他の処理が利用されてもよい。
【００４５】
他方、受信部６１２は、１以上のアンテナ６０２ａ〜ｃにより受信された信号を取得し、対応するシンボルを生成する。次に、これらのシンボルは、ホストモジュール６０６と制御モジュール６０８などの要素に提供される。このシンボル生成は、（限定することなく）復調、増幅及び／又はフィルタリングを含む処理を伴うものであってもよい。
【００４６】
送受信モジュール６０４により生成及び受信される信号は、各種フォーマットによるものであってもよい。例えば、これらの信号は、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）スキームに従って変調されてもよい。しかしながら、他のスキーム及びフォーマット（ＱＰＳＫ、ＢＰＳＫ、ＦＳＫなど）が利用されてもよい。
【００４７】
このような特徴を提供するため、送信部６１０と受信部６１２とはそれぞれ、変調手段、復調手段、増幅手段、フィルタ、アップコンバータ及び／又はダウンコンバータなどの各種コンポーネントを有する。このようなコンポーネントは、ハードウェア（電子など）、ソフトウェア又はこれらの何れかの組み合わせにより実現されてもよい。
【００４８】
送受信モジュール６０４と他の要素との間でやりとりされるシンボルは、１以上のプロトコル及び／又は１以上のユーザアプリケーションに関連するメッセージ又は情報を構成する。このため、これらの要素は、このようなプロトコル及び／又はユーザアプリケーションに対応する処理を実行する。一例となるプロトコルは、（限定することなく）各種のメディアアクセス制御及び検出プロトコルを含む。一例となるユーザアプリケーションは、電話、メッセージング、電子メール、ウェブブラウジング、コンテンツ（ビデオ及びオーディオなど）配信／受信などを含む。
【００４９】
さらに、信号の送信において、送受信モジュール６０４は、各種アクセス技術を利用する。例えば、送受信モジュール６０４は、ＴＤＭＡ技術に従って動作してもよい。しかしながら、各実施例はこのような技術に限定されるものでない。
【００５０】
実施例では、制御モジュール６０８は、ここに開示される各種処理を実行する。例えば、制御モジュール６０８は、ここに開示されるような各種リソース割当てメッセージを生成、受信及び処理するようにしてもよい。このようなメッセージは、リソース割当てリクエスト、割当て指示（ビーコンにより伝送されるなど）、通知メッセージ及びグラントメッセージを含むものであってもよい。さらに、制御モジュール６０８は、送信バッファ６１１における利用可能なデータ量を決定する。
【００５１】
送信バッファ６１１は、無線送信の準備ができたデータを格納する。このようなデータは、１以上のアプリケーション（ＶＢＲアプリケーションなど）に関連する符号化及び／又は圧縮されたデータであってもよい。実施例では、送信バッファ６１１は、記憶媒体（メモリなど）を有する。また、送信バッファ６１１は、ＦＩＦＯ（Ｆｉｒｓｔ−Ｉｎ  Ｆｉｒｓｔ−Ｏｕｔ）バッファとして構成されてもよい。
【００５２】
ホストモジュール６０６は、リモート装置とやりとりされる無線信号に対応するシンボルを（送信バッファ６１１などを介し）送受信モジュール６０４とやりとりする。これらのシンボルは、１以上のプロトコル及び／又は１以上のユーザアプリケーションに関連するメッセージ又は情報を構成する。このため、ホストモジュール６０６は、このようなプロトコル及び／又はユーザアプリケーションに対応する処理を実行する。一例となるプロトコルは、各種メディアアクセス、ネットワーク、トランスポート及び／又はセッションレイヤプロトコルを含む。一例となるユーザアプリケーションは、電話、メッセージング、電子メール、ウェブブラウジング、コンテンツ（ビデオ及びオーディオなど）配信／受信などを含む。
【００５３】
ここに開示されるように、各種実施例は、ハードウェア要素、ソフトウェア要素又はこれらの何れかの組み合わせを用いて実現されてもよい。ハードウェア要素の具体例として、プロセッサ、マイクロプロセッサ、回路、回路要素（トランジスタ、レジスタ、キャパシタ、インダクタなど）、集積回路、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、プログラマブルロジック装置（ＰＬＤ）、ＤＳＰ（Ｄｉｇｉｔａｌ  Ｓｉｇｎａｌ  Ｐｒｏｃｅｓｓｏｒ）、ＦＰＧＡ（Ｆｉｅｌｄ  Ｐｒｏｇｒａｍｍａｂｌｅ  Ｇａｔｅ  Ａｒｒａｙ）、ロジックゲート、レジスタ、半導体装置、チップ、マイクロチップ、チップセットなどがあげられる。
【００５４】
ソフトウェアの具体例は、ソフトウェアコンポーネント、プログラム、アプリケーション、コンピュータプログラム、アプリケーションプログラム、システムプログラム、マシーンプログラム、オペレーティングシステムソフトウェア、ミドルウェア、ファームウェア、ソフトウェアモジュール、ルーチン、サブルーチン、ファンクション、メソッド、プロシージャ、ソフトウェアインタフェース、ＡＰＩ（Ａｐｐｌｉｃａｔｉｏｎ  Ｐｒｏｇｒａｍ  Ｉｎｔｅｒｆａｃｅ）、命令セット、計算コード、コンピュータコード、コードセグメント、コンピュータコードセグメント、ワード、値、シンボル又はこれらの何れかの組み合わせを含むものであってもよい。
【００５５】
いくつかの実施例は、マシーン可読な記憶媒体又は物を用いるなどによって実現されてもよい。記憶媒体は、マシーンにより実行された場合、マシーンに実施例による方法及び／又は処理を実行させる命令又は命令セットを格納してもよい。このようなマシーンは、例えば、何れか適切な処理プラットフォーム、計算プラットフォーム、計算装置、処理装置、計算システム、処理システム、コンピュータ、プロセッサなどを含むものであってもよく、ハードウェア及び／又はソフトウェアの何れか適切な組み合わせを用いて実現されてもよい。
【００５６】
記憶媒体又は物は、例えば、メモリ、着脱可能又は着脱不可なメディア、消去可能又は消去不可なメディア、書き込み可能又は書き換え可能なメディア、デジタル又はアナログメディア、ハードディスク、フロッピー（登録商標）ディスク、ＣＤ−ＲＯＭ（Ｃｏｍｐａｃｔ  Ｄｉｓｋ  Ｒｅａｄ  Ｏｎｌｙ  Ｍｅｍｏｒｙ）、ＣＤ−Ｒ（Ｃｏｍｐａｃｔ  Ｄｉｓｋ  Ｒｅｃｏｒｄａｂｌｅ）、ＣＤ−ＲＷ（Ｃｏｍｐａｃｔ  Ｄｉｓｋ  Ｒｅｗｒｉｔａｂｌｅ）、光ディスク、磁気媒体、光磁気媒体、着脱可能なメモリカード又はディスク、各種ＤＶＤ（Ｄｉｇｉｔａｌ  Ｖｅｒｓａｔｉｌｅ  Ｄｉｓｋ）、テープ、カセットなどの何れか適切なタイプのメモリユニット、記憶装置、記憶物、記憶媒体、格納装置、格納物、格納媒体及び／又は格納ユニットを含むものであってもよい。命令は、何れか適切なハイレベル、ローレベル、オブジェクト指向、ビジュアル、コンパイルされた及び／又はインタープリットされたプログラミング言語を用いて実現されるソースコード、コンパイルされたコード、インタープリットされたコード、実行可能コード、静的コード、動的コード、暗号化されたコードなどを含むものであってもよい。
【００５７】
本発明の各種実施例が上述されたが、それらは単なる具体例として提供されたものであり、限定するものでないことが理解されるべきである。例えば、ここに開示された技術はＷＰＡＮに限定されるものでない。
【００５８】
従って、形態及び詳細の各種変更が本発明の趣旨及び範囲から逸脱することなく可能であることが、当業者には明らかであろう。従って、本発明の範囲は、上述した実施例に限定されるものでなく、以下の請求項とその均等に従ってのみ規定されるべきである。
【図１】
2013515433.tif 000003
【図２】
2013515433.tif 000004
【図３】
2013515433.tif 000005
【図４】
2013515433.tif 000006
【図４Ｅ】
2013515433.tif 000007
【図５】
2013515433.tif 000008
【図６】
2013515433.tif 000009
【国際調査報告】
2013515433.tif 000010
2013515433.tif 000011